【事件の表示】
　特願２０１１−１６０９８７「有機感光性光電子装置」拒絶査定不服審判事件〔平成２３年１０月１３日出願公開、特開２０１１−２０５１５８〕について、次のとおり審決する。
【結　論】
　本件審判の請求は、成り立たない。
【理　由】
１　手続の経緯
　本願は、１９９９年８月１８日（パリ条約による優先権主張外国庁受理１９９８年８月１９日、米国）を国際出願日とする特願２０００−５６６８９６号（以下「元出願」という。）の一部を、平成２３年５月２５日に新たな特許出願とした特願２０１１−１１７０４１号の一部を、さらに平成２３年７月２２日に新たな特許出願としたものであって、平成２５年１月３１日付けで拒絶の理由が通知され、同年６月５日付けで意見書が提出されるとともに手続補正がなされたが、同年１２月１９日付けで拒絶査定がなされた。
　本件は、これを不服として、平成２６年４月２４日に請求された拒絶査定不服審判である。
　
２　本願発明
　本願の特許請求の範囲の請求項１に係る発明（以下「本願発明」という。）は、平成２６年６月５日付けの手続補正によって補正された特許請求の範囲の請求項１に記載された次のとおりのものと認める。
「【請求項１】
　有機感光性光電子装置が積み重ねられている混合型の電気的構成であって、
　近位面および遠位面を有している基板と、
　少なくとも３つの有機感光性光電子サブセルであって、前記サブセルのそれぞれは、カソードとアノードを有し、前記カソードのそれぞれは連続領域の導電性材料からなる電極層又は電荷転送層であり、前記アノードのそれぞれは連続領域の導電性材料からなる電極層又は電荷転送層であり、前記サブセルは互いに及び前記基板の近位面と重畳された関係にあり、
　ここで、前記装置は、直列に電気的に接続されたサブセルと並列に電気的に接続されたサブセルとを含むことを特徴とする装置。」
　ただし、上記「有機感光性光電子装置が積み重ねられている混合型の電気的構成であって」が示す技術事項が必ずしも明らかでないところ、上記「ここで、前記装置は、直列に電気的に接続されたサブセルと並列に電気的に接続されたサブセルとを含む」という記載、並びに、本願の明細書及び図面を参酌すれば、「有機感光性光電子装置」は「有機感光性光電子サブセル」が積み重ねられた装置であることが明らかであるから、上記「有機感光性光電子装置が積み重ねられている混合型の電気的構成であって」は、「有機感光性光電子装置は、有機感光性光電子サブセルが積み重ねられている混合型の電気的構成であって」という技術事項を示すものと解釈して、以下検討を進める。
　
３　引用刊行物
　これに対して、原査定の拒絶の理由に引用された、元出願の優先日前である平成４年７月１０日に頒布された特開平４−１９２３７６号公報（以下「引用例」という。）には、次の事項が記載されている。（下線は当審で付した。）
（１）発明の詳細な説明の記載
「（産業上の利用分野）
　本発明はタンデム型有機太陽電池に関し、詳しくは
透明電極と対向電極との間に有機化合物を主体とする２個の異なる単位セルが設けられているタンデム型有機太陽電池
「本発明で使用される透明電極は、可視光が透過可能なものであれば特に限定されるものではないが、通常は、透明基板上に透明導電膜が設けられたものが好適に使用される。
　上記透明基板に使用される材料としては、例えば、ガラスおよびアクリル系、ビニル系、ポリオレフィン系、ポリエステル系、ポリアミド系、ポリカーボネート系等の高分子があげられる。
　上記透明導電膜に使用される材料としては、例えば、スズがドープされた酸化インジウム（以下、ＩＴＯという）、酸化スズ、酸化インジウム等があげられ、特にＩＴＯが好ましい。
　本発明で使用される対向電極は、公知の電極材料を用いて形成され、該電極材料としては、例えば、金、銀、白金等の仕事関数の大きな金属があげられる。
　本発明で使用される２個の異なる単位セルのうち、透明電極側の単位セルは、透明電極側から対向電極側に向けて、硫化カドミウムからなる第１層、ペリレン系色素からなる第２層およびフタロシアニン系色素からなる第３層が順次積層されている複合層となされている。」（第２頁左上欄第１５行〜同頁右上欄第１６行）
「本発明で使用される２個の異なる単位セルのうち、対向電極側の単位セルは、透明電極側から対向電極側に向けて、ペリレン系色素からなる第１層およびフタロシアニン系色素からなる第２層が順次積層されている複合層となされている。」（第２頁右下欄第２０行〜第３頁左上欄第４行）
「
本発明のタンデム型有機太陽電池においては、
該単位セル間は金属層で接合され
　上記金属層に使用される金属としては、例えば、金、銀等があげられ、その膜厚は、薄くなると
単位セル同志をオーミックに接合する
「実施例１
　
ＩＴＯを蒸着した透明導電ガラス基板
ＩＴＯ膜上に、
硫化カドミウム膜をスパッタリングした
　次いで、硫化カドミウム膜が形成された透明導電ガラス基板を真空蒸着装置の真空容器内に設置して１×１０−３Ｔｏｒｒに減圧し、ペリレンテトラカルボン酸ビスベンゾイミダゾールをアルミナ坩堝中で抵抗加熱して、
硫化カドミウム膜上に、
ペリレンテトラカルボン酸ビスベンゾイミダゾール膜を蒸着した
　次いで、
この膜の上に、
無金属フタロシアニン膜を積層して一段目の単位セルを得た
　得られた
一段目の単位セル上に、
金を２０Åの厚さに真空蒸着した後、
Ｎ、Ｎ’−ジメチルペリレンテトラカルボン酸ジイミド膜および
無金属フタロシアニン膜を順次積層して二段目の単位セルを得た
　得られた
二段目の単位セル上に、
金を真空蒸着し、
３００Åの厚さの対向電極を形成してタンデム型有機太陽電池を得た
（２）引用例記載の発明
　上記（１）の記載事項によると、引用例には、以下の発明（以下「引用発明」という。）が記載されていると認められる。　
「透明電極と対向電極との間に有機化合物を主体とする２個の異なる単位セルが設けられ、該単位セル間は金属層でオーミックに接合されており、
ＩＴＯを蒸着した透明導電ガラス基板のＩＴＯ膜上に、硫化カドミウム膜をスパッタリングし、
硫化カドミウム膜上に、ペリレンテトラカルボン酸ビスベンゾイミダゾール膜を蒸着し、
ペリレンテトラカルボン酸ビスベンゾイミダゾール膜の上に、無金属フタロシアニン膜を積層して一段目の単位セルを得て、
一段目の単位セル上に、金を２０Åの厚さに真空蒸着した後、Ｎ、Ｎ’−ジメチルペリレンテトラカルボン酸ジイミド膜および無金属フタロシアニン膜を順次積層して二段目の単位セルを得て、
二段目の単位セル上に、金を真空蒸着し３００Åの厚さの対向電極を形成して得た、
タンデム型有機太陽電池。」
　
４　対比
　以下、本願発明と引用発明とを対比する。
（１）引用発明の「単位セル」及び「ガラス基板」は、それぞれ本願発明の「有機感光性光電子サブセル」及び「基板」に相当する。
　また、一般に、太陽電池の透明導電膜として用いる際に、ＩＴＯは「連続領域」で形成することが技術常識であるから、引用発明の「ＩＴＯ膜」は本願発明の「連続領域の導電性材料」に相当する構成を有するものである。
　さらに、引用発明の「二段目の単位セル上」の「金」は、「３００Åの厚さ」であるから、本願発明の「連続領域の導電性材料」に相当する構成を有することは明らかである。
（２）引用発明の「タンデム型有機太陽電池」は、「２個の異なる単位セル」を積み重ねたものであることは明らかであるから、引用発明の「透明電極と対向電極との間に有機化合物を主体とする２個の異なる単位セルが設けられ、該単位セル間は金属層でオーミックに接合されて」いる「タンデム型有機太陽電池」と、本願発明の「有機感光性光電子装置が積み重ねられている混合型の電気的構成であ」る構成、すなわち「有機感光性光電子装置は、有機感光性光電子サブセルが積み重ねられている混合型の電気的構成であ」る構成とは、「有機感光性光電子装置が積み重ねられている電気的構成であ」る構成で共通する。
（３）引用発明の「ガラス基板」は、本願発明の「近位面および遠位面を有している」構成に相当する構成を有することは明らかである。
（４）引用発明の「ＩＴＯを蒸着した透明導電ガラス基板のＩＴＯ膜上に、硫化カドミウム膜をスパッタリングし、硫化カドミウム膜上に、ペリレンテトラカルボン酸ビスベンゾイミダゾール膜を蒸着し、ペリレンテトラカルボン酸ビスベンゾイミダゾール膜の上に、無金属フタロシアニン膜を積層して一段目の単位セルを得て、一段目の単位セル上に、金を２０Åの厚さに真空蒸着した後、Ｎ、Ｎ’−ジメチルペリレンテトラカルボン酸ジイミド膜および無金属フタロシアニン膜を順次積層して二段目の単位セルを得て、二段目の単位セル上に、金を真空蒸着し３００Åの厚さの対向電極を形成して得た」構成と、本願発明の「少なくとも３つの有機感光性光電子サブセルであって、前記サブセルのそれぞれは、カソードとアノードを有し、前記カソードのそれぞれは連続領域の導電性材料からなる電極層又は電荷転送層であり、前記アノードのそれぞれは連続領域の導電性材料からなる電極層又は電荷転送層であり、前記サブセルは互いに及び前記基板の近位面と重畳された関係にあり、ここで、前記装置は、直列に電気的に接続されたサブセルと並列に電気的に接続されたサブセルとを含む」構成とは、「有機感光性光電子サブセルであって、前記サブセルのそれぞれは、カソードとアノードを有し、一つのサブセルのカソードと他のサブセルのアノードは、連続領域の導電性材料からなる電極層であり、前記サブセルは互いに及び前記基板の近位面と重畳された関係にあり、ここで、前記装置は、直列に電気的に接続されたサブセルを含む」構成で共通する。
　上記（１）及び（４）から、本願発明と引用発明は、
「有機感光性光電子装置が積み重ねられている電気的構成であって、
　近位面および遠位面を有している基板と、
　有機感光性光電子サブセルであって、前記サブセルのそれぞれは、カソードとアノードを有し、一つのサブセルのカソードと他のサブセルのアノードは、連続領域の導電性材料からなる電極層であり、前記サブセルは互いに及び前記基板の近位面と重畳された関係にあり、
　ここで、前記装置は、直列に電気的に接続されたサブセルを含むことを特徴とする装置。」
で一致し、以下ア及びイの点で相違する。
　
（相違点）
ア　本願発明は、全ての「サブセル」の「カソードとアノード」が「連続領域」のものであるのに対し、引用発明は、一段目の単位セルと二段目の単位セルとの間の「２０Åの厚さ」の「金」（一段目の単位セルの「アノード」と二段目の単位セルの「カソ−ド」を兼用するもの）が連続領域かどうか不明である点。
イ　本願発明は、「混合型の電気的構成」であって、「少なくとも３つの有機感光性光電子サブセル」を有し、「直列に電気的に接続されたサブセルと並列に電気的に接続されたサブセルとを含む」のに対し、引用発明は、「透明電極と対向電極との間に２個の異なる単位セルが設けられ、該単位セル間は金属層でオーミックに接合されて」いる、すなわち、単位セルが２つであって、直列に接続されている点。
　　
５　当審の判断
　以下、上記ア及びイの相違点について検討する。
（アの相違点について）
　複数のセルを積層したタンデム型太陽電池において、セルとセルとの間の導電層として、連続領域の透明酸化導電膜を用いることは、周知技術（特開平２−３７８号公報の第３頁左上欄第１１行〜第４頁左上欄第１５行及び第１〜４図、特開平３−８９５５８号公報の第４頁左下欄第１２行〜第５頁左上欄第６行及び第３図参照。）である。
　そして、引用発明の「２０Åの厚さ」の「金」も上記周知技術の連続領域の透明酸化導電膜も、複数のセルを積層したタンデム型太陽電池のセルとセルとの間の透明導電層である点で共通するものであるから、引用発明において、「一段目の単位セル」と「二段目の単位セル」の間の「２０Åの厚さ」の「金」に換えて、連続領域の透明酸化導電膜を用いて、上記アの相違点に係る本願発明の発明特定事項を得ることは、当業者が容易になし得たことである。
（上記イの相違点について）
　タンデム型の太陽電池において、３つの太陽電池単位セルを用いることは、周知技術（以下「周知技術１」という。特開平２−３７８号公報の第３頁右下欄第３行〜第４頁左上欄第１行及び第３図、特開平３−８９５５８号公報の第４頁右上欄第８行〜第５頁左上欄第６行及び第２、３図参照。）であるし、また、各太陽電池単位セルを直列に接続することも並列に接続することも直列と並列を組み合わせて接続することも、いずれも周知技術（以下「周知技術２」という。特開平３−８９５５８号公報の第１頁右下欄最終行〜第２頁左下欄第７行、第３頁右上欄最終行〜第５頁左上欄第６行及び第１〜５図参照。）である。
　そして、引用発明において、上記周知技術１を採用して、「タンデム型有機太陽電池」の「単位セル」を３つとすることに、何ら困難性も阻害要因もない。
　また、上記周知技術２からすると、直列に接続することも並列に接続することも直列と並列を組み合わせて接続することも、適宜選択しうることといえるから、上記「単位セル」を３つ用いる際に、直列に電気的に接続された「単位セル」と並列に電気的に接続された「単位セル」とを含む混合型の電気的構成として、上記イの相違点に係る本願発明の発明特定事項を得ることは、当業者が容易になし得たことである。
　
　上記ア及びイの相違点については以上のとおりであり、本願発明によってもたらされる効果は、引用発明及び周知技術から当業者が予測できる範囲内のものと認められる。
　よって、本願発明は、引用発明及び周知技術に基いて、当業者が容易に発明をすることができたものである。
　
６　むすび
　以上のとおり、本願発明は、引用発明及び周知技術に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。